(57)【要約】【課題】フォーカルプレンシャッタにおいて、羽根作動時に発生する塵埃が撮像素子に向かって飛散することを抑制する。【解決手段】フォーカルプレンシャッタにおいて、開口部を有する第１地板と、開口部、及び円弧状に延びる貫通孔を有する第２地板と、前記第１地板と前記第２地板との間に配置された羽根と、前記羽根に連結されたアームと、前記アームに連結され、前記貫通孔に挿通された、前記羽根を駆動する駆動ピンと、前記駆動ピンに連結された、前記貫通孔の幅よりも大きい径を有するカバー部材と、を備える構成とする。【選択図】図２
2020139974.tif 000002
【特許請求の範囲】
【請求項１】
開口部を有する第１地板と、
開口部、及び円弧状に延びる貫通孔を有する第２地板と、
前記第１地板と前記第２地板との間に配置された羽根と、
前記羽根に連結されたアームと、
前記アームに連結され、前記貫通孔に挿通された、前記羽根を駆動する駆動ピンと、
前記駆動ピンに連結された、前記貫通孔の幅よりも大きい径を有するカバー部材と、を備える、
フォーカルプレンシャッタ。
【請求項２】
前記第１地板は、前記駆動ピンが挿通される貫通孔を有する、
請求項１に記載のフォーカルプレンシャッタ。
【請求項３】
前記第２地板が前記第１地板よりも撮像素子に近接して配置された、
請求項１または請求項２に記載のフォーカルプレンシャッタ。
【請求項４】
前記カバー部材を保持する保持部材をさらに備え、
前記駆動ピンは、円筒状の軸部と、前記軸部より大きな径を有する頭部とを有し、
前記カバー部材は、前記頭部と前記保持部材とに挟まれて配置される、
請求項１から請求項３のいずれか１項に記載のフォーカルプレンシャッタ。
【請求項５】
前記カバー部材は、弾性体で形成されている、
請求項１から請求項４のいずれか１項に記載のフォーカルプレンシャッタ。
【請求項６】
前記カバー部材は、前記第２地板に対して、前記第１地板とは逆側に配置される、
請求項１から請求項５のいずれか１項に記載のフォーカルプレンシャッタ。
【請求項７】
前記カバー部材は、前記第１地板と前記第２地板との間に配置される、
請求項１から請求項５のいずれか１項に記載のフォーカルプレンシャッタ。
【請求項８】
撮像素子と、
請求項１から請求項７のいずれか１項に記載のフォーカルプレンシャッタと、を備える、
撮像装置。
【発明の詳細な説明】
【技術分野】
【０００１】
本発明の一態様は、カメラなどの撮像装置に用いられるフォーカルプレンシャッタなどに関する。
【背景技術】
【０００２】
羽根群によって開口部（画枠）を開閉することで撮像素子に対する露光を行うフォーカルプレンシャッタでは、地板、中間板、及びカバー板の間に形成された羽根室に配置された羽根群を駆動機構により駆動することで開口部の開閉状態を変化させ、露光が行われる構成となっている。このようなフォーカルプレンシャッタでは、作動の際に、可動部材からの磨耗粉等が長孔から羽根室に進入したり、羽根室内で、羽根群が地板、カバー板、及び中間板に摺動することで摩擦が起こり、これらの構成から摩耗粉などの塵埃が発生したりする。これらの塵埃は、撮像素子に付着すると撮像した画像の画質が低下することがある。そこで、発生した塵埃の飛散を抑制するための種々の構成がある。特許文献１には、駆動ピンを通す地板の長孔を遮蔽する遮蔽部材を設けた構成が開示されている。
【先行技術文献】
【特許文献】
【０００３】
【特許文献１】特開２０１５−１４３７４５号公報
【発明の概要】
【発明が解決しようとする課題】
【０００４】
しかしながら、従来の構成では、発生した塵埃の抑制が不十分になる場合があった。上記特許文献１に記載の構成では、作動時に駆動ピンが遮蔽部材を擦り、摩耗粉等が発生してしまう場合があった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の第１の手段は、
開口部（１ａ）を有する第１地板（１）と、
開口部（２ａ）、及び円弧状に延びる貫通孔（２１、２２）を有する第２地板（２）と、
前記第１地板と前記第２地板との間に配置された羽根（４）と、
前記羽根に連結されたアーム（３）と、
前記アームに連結され、前記貫通孔に挿通された、前記羽根を駆動する駆動ピン（８１、８２）と、
前記駆動ピンに連結された、前記貫通孔の幅よりも大きい径を有するカバー部材（８１１、８２１）と、を備える、
フォーカルプレンシャッタである。
【０００７】
上記構成のフォーカルプレンシャッタによれば、作動時の衝撃等により駆動ピン近傍で発生した摩耗粉などの塵埃が、貫通孔を通って第１地板と第２地板との間から外に出て飛散することをカバー部材により抑制することができる。これにより、摩耗粉などの塵埃が撮像素子に付着して、撮像した画像の画質が低下することを抑制することができる。
【０００８】
上記フォーカルプレンシャッタにおいて、好ましくは、
前記第１地板は、前記駆動ピンが挿通される貫通孔を有する。
【０００９】
上記フォーカルプレンシャッタにおいて、好ましくは、
前記第２地板が前記第１地板よりも撮像素子に近接して配置されている。
【００１０】
上記構成のフォーカルプレンシャッタによれば、第１地板と第２地板とのうち、撮像素子に近接した側の貫通孔を塞ぐようにカバー部材が配置されているため、駆動ピン周辺の塵埃が撮像素子側に飛散することを抑制することができる。
【００１１】
上記フォーカルプレンシャッタにおいて、好ましくは、
前記カバー部材を保持する保持部材（８１２）をさらに備え、
前記駆動ピン（８１、８２）は、円筒状の軸部（８１ｂ、８４ｂ）と、前記軸部より大きな径を有する頭部（８１ａ、８４ａ）とを有し、
前記カバー部材（８１１、８２１）は、前記頭部（８１ａ、８４ａ）と前記保持部材（８１２、８２２）とに挟まれて配置される。
【００１２】
上記構成のフォーカルプレンシャッタによれば、保持部材によってカバー部材を安定的に保持する構成にすることができる。
【００１３】
上記フォーカルプレンシャッタにおいて、好ましくは、
前記カバー部材（８１１、８２１）は、弾性体で形成されている。
【００１４】
上記構成のフォーカルプレンシャッタによれば、カバー部材を駆動ピンに装着しやすい構成にすることができる。これにより、フォーカルプレンシャッタの組立を容易にすることなどが可能となる。
【００１５】
上記フォーカルプレンシャッタにおいて、好ましくは、
前記カバー部材は、前記第２地板に対して、前記第１地板とは逆側に配置される。
【００１６】
上記構成のフォーカルプレンシャッタによれば、第１地板と第２地板との間の羽根室の外にカバー部材が配置されるため、羽根室の厚さを薄く構成することができる。これにより、フォーカルプレンシャッタが大型化することを抑制することができる。
【００１７】
上記フォーカルプレンシャッタにおいて、好ましくは、
前記カバー部材は、前記第１地板と前記第２地板との間に配置される。
【００１８】
上記構成のフォーカルプレンシャッタによれば、第１地板と第２地板との間の羽根室の中にカバー部材が配置されるため、羽根室外で駆動ピンが大きく突出しない構成にすることができる。これにより、フォーカルプレンシャッタが大型化することを抑制することができる。
【００１９】
上記いずれかのフォーカルプレンシャッタは、撮像素子を有するカメラなどの撮像装置に好適に適用される。
【００２０】
上記のような撮像装置によれば、摩耗粉などの塵埃が撮像素子に付着することを抑制した構成にすることができる。これによって、撮像装置で撮像される画像の品質の低下を抑制することなどが可能となる。
【図面の簡単な説明】
【００２１】
【図１】図１は、フォーカルプレンシャッタの平面図である。
【図２】図２は、羽根走行前のフォーカルプレンシャッタの透過平面図である。
【図３】図３は、羽根走行後のフォーカルプレンシャッタの透過平面図である。
【図４】図４は、フォーカルプレンシャッタの断面図である。
【図５】図５は、変形例におけるフォーカルプレンシャッタの断面図である。
【発明を実施するための形態】
【００２２】
本発明のフォーカルプレンシャッタは、デジタルカメラなどの撮像装置に利用されるものであり、フォーカルプレンシャッタの羽根の作動により羽根室内で発生した摩耗粉などの塵埃が飛散して撮像素子に付着することを抑制するために、貫通孔をカバーするカバー部材を駆動ピンに取り付ける構成としている点を特徴のひとつとする。
【００２３】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．変形例
３．本発明の特徴
４．補足事項
【００２４】
＜１．実施形態＞
まず、本発明の実施形態について図面を参照しながら具体的に説明する。図１は、本実施形態のフォーカルプレンシャッタの平面図である。図２及び図３は、本実施形態のフォーカルプレンシャッタの透過平面図である。図２は羽根走行前の状態を示しており、図３は羽根走行後の状態を示している。図４は、本実施形態のフォーカルプレンシャッタの断面図である。
【００２５】
図１〜図４に示されるように、本実施形態のフォーカルプレンシャッタは、地板１、カバー板２、中間板３、先羽根群４、後羽根群５、先羽根用主アーム６１、先羽根用従アーム６２、後羽根用主アーム７１、後羽根用従アーム７２、及び駆動機構部８を含んで構成される。図４の断面図に示されるように、これらの構成は、地板１、後羽根群５、中間板３、先羽根群４、カバー板２の順に積層されて配置される。また、図におけるカバー板２の上側、すなわち先羽根群４とは逆方向には、撮像素子（図示省略）が配置される。図における地板１の下側、すなわち後羽根群５とは逆側には、レンズ及び撮像対象（いずれも図示省略）が配置される。本明細書では、先羽根群４及び後羽根群５を「羽根群」または「羽根」と総称することがある。先羽根用主アーム６１及び後羽根用主アーム７１を「主アーム」と総称することがある。先羽根用従アーム６２及び後羽根用従アーム７２を「従アーム」と総称することがある。また、主アーム及び従アームを「アーム」と総称することがある。
【００２６】
＜地板１＞
地板１は、フォーカルプレンシャッタの基板部分であって、略矩形状の開口部１ａを有する。地板１は、撮像装置における光軸を中心に形成される。開口部１ａは、矩形以外の任意の形状であってもよい。地板１は、後述のカバー板２との間に、先羽根群４、後羽根群５、先羽根用主アーム６１、先羽根用従アーム６２、後羽根用主アーム７１、及び後羽根用従アーム７２等の構成を収容する羽根室を形成する。図１〜図３に示されるように、地板１の開口部１ａの側方（図の右側）の羽根室外には、アームを介して先羽根群４及び後羽根群５を駆動する駆動機構部８が搭載される。
【００２７】
地板１は、カバー板２との間に形成される羽根室内で、先羽根用主アーム６１と先羽根用従アーム６２を回動可能に支持し、先羽根用主アーム６１と先羽根用従アーム６２のそれぞれの回動の中心となる回動軸を有する。地板１は、羽根室内に後羽根用主アーム７１と後羽根用従アーム７２を回動可能に支持し、後羽根用主アーム７１と後羽根用従アーム７２のそれぞれの回動の中心となる回動軸を有する。これらの回動軸は、例えば地板１に立設された軸状の構成である。地板１には、駆動機構部８から駆動力を出力する駆動ピン８１の移動軌跡に沿って形成された貫通孔１１及び１２を有する。貫通孔１１は、回転軸を中心とする駆動ピン８１の移動軌跡に沿って円弧状に形成された長孔である。貫通孔１２は、回転軸を中心とする駆動ピン８２の移動軌跡に沿って円弧状に形成された長孔である。これらの貫通孔１１及び１２には、それぞれ先羽根群４用の駆動ピン８１と、後羽根群５用の駆動ピン８２とが挿通される。なお、地板１は、本発明の「第１地板」の一構成例である。
【００２８】
＜カバー板２＞
カバー板２は、地板１と対向する位置に、地板１に対して所定の間隔を空けて配置される。カバー板２と地板１との間に形成された空間は、中間板３、先羽根群４、後羽根群５、先羽根用主アーム６１、先羽根用従アーム６２、及び後羽根用主アーム７１を収容する羽根室となる。地板１とカバー板２とにより形成された空間、または地板１及びカバー板２と中間板３とにより形成された空間を羽根室と称することがある。
【００２９】
カバー板２は、地板１の開口部１ａに対向する位置に形成された開口部２ａを有する。開口部２ａは、開口部１ａと類似の矩形状であるが、完全な矩形状ではなくてもよいし、矩形以外の任意の形状であってもよい。
【００３０】
カバー板２は、フォーカルプレンシャッタが搭載された撮像装置において、撮像素子（図示省略）に近い位置に配置される。ただし、撮像素子の位置に対する地板１及びカバー板２の向きは任意に変更可能である。なお、カバー板２は「補助地板」と呼ばれることがある。また、カバー板２は、本発明の「第２地板」の一構成例である。
【００３１】
＜中間板３＞
中間板３は、地板１とカバー板２との間に配置される。中間板３と地板１との間には、後羽根群５、後羽根用主アーム７１、及び後羽根用従アーム７２が収容される。中間板３とカバー板２との間には、先羽根群４、先羽根用主アーム６１、及び先羽根用従アーム６２が収容される。中間板３は、地板１の開口部１ａ及びカバー板２の開口部２ａに対向する位置に、矩形状の開口部３ａを有する。開口部１ａ及び２ａ同様、中間板３の開口部３ａも矩形状ではない任意の形状であってもよい。
【００３２】
＜先羽根群４＞
先羽根群４は、上記のようにカバー板２と中間板３との間の羽根室に配置される。先羽根群４は、複数の板状の羽根部材４１〜４４からなり、周知のようにリベットなどの連結具によって、先羽根用主アーム６１及び先羽根用従アーム６２に連結される。先羽根群４は、先羽根用主アーム６１を介して、駆動ピン８１により駆動され、開口部１ａ、２ａ及び３ａにより形成される露光開口を覆う状態と開放する状態と（開閉状態）を切り替える。先羽根群４を構成する羽根部材４１〜４４は、それぞれアルミニウムなどの金属、カーボンファイバー、または樹脂などの素材により形成されるが、これらの素材に限定されるものではない。なお、先羽根群４及び後羽根群５は、シャッタ羽根と呼ばれることがある。
【００３３】
＜後羽根群５＞
後羽根群５は、上記のように地板１と中間板３との間の羽根室に配置される。後羽根群５は、複数の板状の羽根部材５１〜５４からなり、周知のようにリベットなどの連結具によって、後羽根用主アーム７１及び後羽根用従アーム７２に連結される。後羽根群５は、後羽根用主アーム７１を介して、駆動ピン８２により駆動され、開口部１ａ、２ａ及び３ａにより形成される露光開口を覆う状態と開放する状態と（開閉状態）を切り替える。後羽根群５を構成する羽根部材５１〜５４は、それぞれアルミニウムなどの金属、カーボンファイバー、または樹脂などの素材により形成されるが、これらの素材に限定されるものではない。
【００３４】
＜アーム６１、６２、７１、及び７２＞
先羽根用主アーム６１は、駆動ピン８１と先羽根群４との間に配置され、駆動ピン８１が先羽根用主アーム６１の孔に挿入されて先羽根群４に連結される。先羽根用主アーム６１は、駆動機構部８で発生した駆動力を、駆動ピン８１を介して先羽根群４に伝達することで先羽根群４を駆動する。先羽根用従アーム６２は、上記のように先羽根群４に連結される。先羽根用従アーム６２は、先羽根用主アーム６１と同様に、地板１の羽根室側の軸に回動自在に連結される。先羽根用従アーム６２は、駆動機構部８から直接駆動力は与えられず、先羽根用主アーム６１の作動に合わせて作動する。
【００３５】
後羽根用主アーム７１は、駆動ピン８２と後羽根群５との間に配置され、駆動ピン８２が後羽根用主アーム７１の孔に挿入されて後羽根群５に連結される。後羽根用主アーム７１は、駆動機構部８で発生した駆動力を、駆動ピン８２を介して後羽根群５に伝達することで後羽根群５を駆動する。後羽根用従アーム７２は、上記のように後羽根群５に連結される。後羽根用従アーム７２は、後羽根用主アーム７１と同様に、地板１の羽根室側の軸に回動自在に連結される。後羽根用従アーム７２は、駆動機構部８から直接駆動力は与えられず、後羽根用主アーム７１の作動に合わせて作動する。
【００３６】
＜駆動機構部８＞
駆動機構部８は、地板１上に配置された、先羽根群４及び後羽根群５を駆動するための構成である。駆動機構部８は、コイル及びヨークを含む電磁石、永久磁石、及びコイルばねを含んで構成され、与えられた電力により駆動ピン８１及び８２を駆動するよう作動する。より具体的には、図４に示されるように、駆動機構部８は、円筒状の駆動レバー８３を回動させ、これにより駆動ピン８１を回動させるよう作動する。駆動機構部８の基本的な作動原理については、既知の構成であるため具体的な説明を省略する。
【００３７】
＜駆動ピン８１及び８２＞
駆動ピン８１は、駆動機構部８からの駆動力を、先羽根用主アーム６１を介して先羽根群４に伝達する。駆動ピン８２は、駆動機構部８からの駆動力を、後羽根用主アーム７１を介して後羽根群５に伝達する。つまり、駆動機構部８で発生した駆動力は、駆動ピン８１及び８２から出力され、先羽根用主アーム６１及び後羽根用主アーム７１を介して先羽根群４及び後羽根群５を作動させ、これにより開口部１ａ、２ａ及び３ａの開閉状態を切り替える。駆動ピン８１及び８２は、それぞれ先羽根群４及び後羽根群５を作動させる点で相違するが、同様の構成であるため、以下では駆動ピン８１についての説明のみを行い、駆動ピン８２についての説明は省略する。
【００３８】
図４に示されるように、駆動ピン８１は、部位によって径の異なる軸状の部材である。駆動ピン８１は、頭部８１ａ、小径軸部８１ｂ、大径軸部８１ｃ及び８１ｄを有する。小径軸部８１ｂは、駆動ピン８１において最も小さい径を有する部分である。大径軸部８１ｄは、駆動ピン８１において最も大きな径を有する部分であり、駆動レバー８３に接続される。大径軸部８１ｃは、大径軸部８１ｄより小さく小径軸部８１ｂより大きい径を有する部分であり、大径軸部８１ｄと小径軸部８１ｂとの間に位置する。頭部８１ａは、小径軸部８１ｂよりも大きい径を有し、駆動ピン８１の先端に位置する。
【００３９】
駆動ピン８１は、地板１の貫通孔１１及びカバー板２の貫通孔２１に挿通される。地板１の貫通孔１１には、駆動ピン８１の大径軸部８１ｄが位置し、カバー板２の貫通孔２１には、駆動ピン８１の大径軸部８１ｃが位置する。つまり、カバー板２の貫通孔２１より撮像素子側には、駆動ピン８１の小径軸部８１ｂ及び頭部８１ａが突出する。
【００４０】
＜カバー部材８１１及び８２１、保持部材８１２及び８２２＞
カバー部材８１１は、駆動ピン８１の小径軸部８１ｂに連結された円環状の部材であり、樹脂またはゴムなどの弾性体で形成される。カバー部材８１１は、貫通孔２１の幅よりも大きな径を有する（図４参照）。カバー部材８１１は、図４に示されるように、地板１とカバー板２とにより形成される羽根室の外側に位置し、カバー板２よりも撮像素子側に位置する。取り付けの際には、カバー部材８１１は、駆動ピン８１の頭部８１ａの上側（撮像素子側）から、弾性的に変形させられながら、カバー部材８１１の貫通孔に頭部８１ａを挿通させるようにして小径軸部８１ｂに取り付けられる。
【００４１】
保持部材８１２は、カバー部材８１１とカバー板２との間に位置するように小径軸部８１ｂに取り付けられ、駆動ピン８１の頭部８１ａとともにカバー部材８１１をカバー板２と平行になるように保持するよう作用する。保持部材８１２は、カバー板２との間で摩擦が生じることを避けるため、カバー板２との間に隙間を設けるようにして取り付けられる。保持部材８１２は、金属で形成された、Ｃ字状の部材である。つまり、保持部材８１２は、非連続となる離間部分を有する円環状の部材である。保持部材８１２の非連続となる離間部分は、駆動ピン８１の小径軸部８１ｂの径より小さい距離を有している。そのため、保持部材８１２を駆動ピン８１に取り付ける際には、駆動ピン８１の小径軸部８１ｂに対して保持部材８１２を圧入することとなる。
【００４２】
このように、駆動ピン８１にカバー部材８１１を取り付けることで、駆動ピン８１の周囲ではカバー部材８１１によって貫通孔２１が覆われることとなり、羽根室側から撮像素子側に摩耗粉などの塵埃が進入しづらくなる。
【００４３】
なお、後羽根群５を駆動する駆動ピン８２についても、上記の駆動ピン８１に対するカバー部材８１１及び保持部材８１２と同様の、カバー部材８２１及び保持部材８２２が配置される（図２及び図３参照）。これらのカバー部材８２１及び保持部材８２２については、上記のカバー部材８１１及び保持部材８１２と同様の構成であるため、具体的な説明は省略する。
【００４４】
撮像装置に本実施形態のフォーカルプレンシャッタが組み込まれるとき、開口部１ａ〜３ａに対応した位置には、撮像素子が配置される。撮像素子は、光軸方向から見た平面視で、開口部１ａ〜３ａに重なり、開口部１ａ〜３ａを覆うように配置される。本実施形態のフォーカルプレンシャッタを含む撮像装置は、レンズを保持するレンズ鏡筒、撮像素子が搭載された基板、並びにレンズ鏡筒、フォーカルプレンシャッタ、及び基板を覆うケース、などを含んで構成される。
【００４５】
＜２．変形例＞
次に、本発明の変形例について、図５を参照しながら説明する。本変形例では、カバー部材８１１及び保持部材８１２が配置される箇所が実施形態とは異なり、それ以外の構成は実施形態と共通である。本変形例の構成は、平面視では実施形態と同様であり、断面において異なる。以下の説明では、実施形態との相違点のみについて説明する。
【００４６】
図５に示されるように、本変形例の駆動ピン８４は、部位によって径の異なる軸状の部材である。駆動ピン８４は、頭部８４ａ、小径軸部８４ｂ、及び大径軸部８４ｃを有する。小径軸部８４ｂは、大径軸部８４ｃより小さい径を有する。大径軸部８４ｃは、駆動レバー８３に接続される。頭部８４ａは、小径軸部８４ｂよりも大きい径を有し、駆動ピン８４の先端に位置する。
【００４７】
駆動ピン８４は、地板１の貫通孔１１及びカバー板２の貫通孔２１に挿通される。地板１の貫通孔１１には、駆動ピン８４の大径軸部８４ｃが位置し、カバー板２の貫通孔２１には、駆動ピン８４の頭部８４ａが位置する。つまり、カバー板２の貫通孔２１より地板１側の羽根室内に、駆動ピン８４の小径軸部８４ｂが位置する。
【００４８】
カバー部材８１１は、図５に示されるように、地板１とカバー板２とにより形成される羽根室内に位置するように小径軸部８４ｂに取り付けられる。保持部材８１２は、カバー部材８１１と中間板３との間に位置し、駆動ピン８４の頭部８４ａとともにカバー部材８１１をカバー板２と平行になるように保持するよう作用する。カバー部材８１１は、カバー板２との間に隙間を設けるようにして取り付けられるため、カバー板２と摩擦が生じることはない。
【００４９】
このように、駆動ピン８４にカバー部材８１１を取り付けることで、駆動ピン８４の周囲では、羽根室側から、カバー部材８１１によって貫通孔２１が覆われることとなり、羽根室側から撮像素子側に摩耗粉などの塵埃が進入しづらくなる。
【００５０】
なお、後羽根群５を駆動する駆動ピン８２に関しても、上記同様のカバー部材８１１及び保持部材８１２を配置した構成とすることができる。
【００５１】
＜３．本発明の特徴＞
上記の実施形態及び変形例で具体的に説明した本発明は、以下のような特徴を有する。
【００５２】
本発明のフォーカルプレンシャッタでは、駆動ピン８１及び／または８２に、貫通孔２１及び／または２２の幅より大きい径を有するカバー部材８１１が連結された構成としている。そのため、羽根走行の作動時の衝撃等により駆動ピン８１（及び／または８２）近傍で発生した摩耗粉などの塵埃が、貫通孔２１（及び／または２２）を通って地板１とカバー板２との間の羽根室外に出て飛散することを、カバー部材８１１により抑制することができる。これにより、摩耗粉などの塵埃が撮像素子に付着して、撮像した画像の画質が低下することを抑制可能な構成となっている。
【００５３】
なお、カバー板２の貫通孔２１ではなく、地板１の貫通孔１１を覆うようにカバー部材８１１を配置する構成とすると、羽根室内から羽根室外に塵埃が飛散することを抑制することができ、一定の効果が得られる。さらにこの構成では、地板１側の羽根室外から、羽根室内に塵埃が進入することを防止することができる。
【００５４】
また、カバー板２側ではなく地板１側に撮像素子が配置される構成とした場合、地板１の貫通孔１１を覆うようにカバー部材８１１を配置すると、撮像素子に向けて摩耗粉などの塵埃が飛散することを抑制することができる。この場合において、撮像素子から離れたカバー板２の貫通孔２１を覆うようにカバー部材８１１を配置する構成とすることもできる。この場合、羽根室内から羽根室外に塵埃が飛散することを抑制したり、カバー板２側の羽根室外から羽根室内に塵埃が進入することを防止したりすることができる。
【００５５】
本発明のフォーカルプレンシャッタでは、カバー板２が地板１よりも撮像素子に近接して配置された構成としている。そのため、駆動ピン８１（及び／または８２）周辺の塵埃が撮像素子側に飛散することを抑制可能な構成となっている。
【００５６】
本発明のフォーカルプレンシャッタでは、カバー部材８１１が、駆動ピン８１の頭部８１ａ（または８４ａ）と保持部材８１２とで挟まれて保持された構成としている。そのため、保持部材８１２によってカバー部材８１１を安定的に保持する構成となっている。
【００５７】
本発明のフォーカルプレンシャッタでは、カバー部材８１１が樹脂またはゴムなどの弾性体で形成されている。そのため、フォーカルプレンシャッタの組立を容易にすることなどが可能な構成となっている。
【００５８】
本発明のフォーカルプレンシャッタの実施形態の構成では、カバー部材８１１が、カバー板２の撮像素子側に配置された構成としている。この構成により、羽根室外にカバー部材８１１が配置されるため、羽根室の厚さを薄く構成することができる。これにより、フォーカルプレンシャッタが大型化することを抑制可能な構成となっている。
【００５９】
本発明のフォーカルプレンシャッタの変形例の構成では、カバー部材８１１が、地板１とカバー板２とにより形成される羽根室内に配置された構成としている。この構成では、羽根室外で駆動ピンが大きく突出しない構成にすることができる。
【００６０】
また、本発明のフォーカルプレンシャッタは、撮像素子を有するカメラなどの撮像装置に適用される。このような撮像装置では、摩耗粉などの塵埃が撮像素子に付着することを抑制した構成にすることができ、撮像装置で撮像される画像の品質の低下を抑制することなどが可能となる。
【００６１】
＜４．補足事項＞
以上、本発明の実施形態についての具体的な説明を行った。上記説明は、あくまで一具体例としての説明であって、本発明の範囲はこの実施形態に留まらず、当業者が把握可能な範囲にまで広く解釈されるものである。
【００６２】
実施形態では、フォーカルプレンシャッタに備えられる先羽根群４及び後羽根群５は、それぞれ複数（例えば４枚）の羽根部材を有する構成として説明したが、先羽根群４及び後羽根群５は、それぞれ一枚の羽根部材を有する構成であってもよい。
【００６３】
また、実施形態では先羽根群４及び後羽根群５を備えるフォーカルプレンシャッタについて説明したが、先羽根群４または後羽根群５のいずれか一方の羽根のみを備える構成を採用してもよい。その場合、実施形態のフォーカルプレンシャッタでは、中間板３を有する構成例を説明したが、中間板３を有さない構成を採用してもよい。
【産業上の利用可能性】
【００６４】
本発明は、デジタルカメラなどの撮像装置のフォーカルプレンシャッタなどとして好適に適用される。
【符号の説明】
【００６５】
１…地板
１ａ…開口部
１１、１２…貫通孔
２…カバー板
２ａ…開口部
２１、２２…貫通孔
３…中間板
３ａ…開口部
４…先羽根群
４１〜４４…羽根部材
５…後羽根群
５１〜５４…羽根部材
６１…先羽根用主アーム
６２…先羽根用従アーム
７１…後羽根用主アーム
７２…後羽根用従アーム
８…駆動機構部
８１、８２…駆動ピン
８１ａ…頭部
８１ｂ…小径軸部
８１ｃ、８１ｄ…大径軸部
８３…駆動レバー
８４…駆動ピン
８４ａ…頭部
８４ｂ…小径軸部
８４ｃ…大径軸部
８１１…カバー部材
８１２…保持部材
【図１】
2020139974.tif 000003
【図２】
2020139974.tif 000004
【図３】
2020139974.tif 000005
【図４】
2020139974.tif 000006
【図５】
2020139974.tif 000007